(57)【特許請求の範囲】
【請求項１】
情報の格納先および前記格納先への接続時刻を設定するための設定手段と、
前記設定手段に接続され、前記接続時刻に前記格納先へ無線にて接続し、前記格納先へ格納された情報を取得するための情報取得手段と、
前記情報取得手段に接続され、取得した情報を記憶するための情報記憶手段と、
前記情報記憶手段に接続され、取得した情報の種類に基づいて、前記取得した情報を利用した設定処理を実行するための処理実行手段とを含む、携帯無線端末。
【請求項２】
前記処理実行手段は、取得した情報が画像情報であれば、待ち受け時に表示される画面として、前記画像情報を設定するための手段を含む、請求項１に記載の携帯無線端末。
【請求項３】
前記処理実行手段は、取得した情報がメロディ情報であれば、着信音として前記メロディ情報を設定するための手段を含む、請求項１に記載の携帯無線端末。
【請求項４】
情報の格納先および前記格納先への接続時刻を設定するための設定手段と、
前記設定手段に接続され、前記接続時刻に前記格納先へ無線にて接続し、前記格納先へ格納された情報を取得するための情報取得手段と、
前記情報取得手段に接続され、取得した情報を記憶するための情報記憶手段と、
前記情報記憶手段に接続され、取得した情報の種類に基づいて、種類ごとに予め定められた処理を実行するための処理実行手段とを含み、
前記処理実行手段は、取得した情報が画像情報であれば、待ち受け時に表示される画面として、前記画像情報を設定するための手段を含む、携帯無線端末。
【請求項５】
情報の格納先および前記格納先への接続時刻を設定するための設定手段と、
前記設定手段に接続され、前記接続時刻に前記格納先へ無線にて接続し、前記格納先へ格納された情報を取得するための情報取得手段と、
前記情報取得手段に接続され、取得した情報を記憶するための情報記憶手段と、
前記情報記憶手段に接続され、取得した情報の種類に基づいて、種類ごとに予め定められた処理を実行するための処理実行手段とを含み、
前記処理実行手段は、取得した情報がメロディ情報であれば、着信音として前記メロディ情報を設定するための手段を含む、携帯無線端末。
【請求項６】
前記設定手段は、情報の格納先、前記情報の更新情報の格納先、および２つの前記格納先への接続時刻を設定するための第１の手段を含み、
前記情報取得手段は、前記第１の手段に接続され、前記接続時刻になると前記更新情報の格納先に接続し、前記情報の格納先に格納されている情報の更新情報を取得するための更新情報取得手段と、
前記更新情報取得手段に接続され、前記更新情報取得手段で取得された更新情報に基づいて、前記情報の格納先に格納された情報の取得をするまたはしないを選択的に実行するための選択的情報取得手段とを含む、請求項１〜５のいずれかに記載の携帯無線端末。
【発明の詳細な説明】
【０００１】
【発明の属する技術分野】
本発明は、ブラウザ機能を搭載した携帯電話、ＰＨＳ（Personal Handyphone System；ＰＨＳは登録商標）などの携帯無線端末に関し、特に、自動的にホームページの情報を取得することができる携帯無線端末に関する。
【０００２】
【従来の技術】
従来、携帯無線端末のユーザが、インターネットに接続し、目的のホームページを閲覧するためには、手動でホームページのアドレスを入力し、手動で発信する必要がある。また、取得したホームページの情報の保存もユーザが手動操作により行なっている。さらに、画像データをダウンロードした場合に、その画像データを着信待ち受け時に表示される画面（以下「待ち受け画面」という）に設定する操作や、着信メロディデータを受信した場合に、その着信メロディデータを着信音に設定する操作は、ユーザが手動で行なっていた。
【０００３】
【発明が解決しようとする課題】
このように、ホームページにアクセスするためにはデータ受信のための操作が必要とされる。このため、ホームページへのアクセスが多く、情報の取得に時間がかかる場合には、ユーザが時間をずらして再び手動で接続を試みる必要がある。また、回線交換式の携帯無線端末では、情報取得に時間がかかると、回線への接続時間がのびることになり、通信費がかさむという問題がある。さらに、回線使用者が多い時間帯には、回線自体に接続できないことがあり、この様な場合には時間をずらして回線に接続しなければならないという問題がある。
【０００４】
また、ホームページの情報取得が容易な状況であっても、ニュースや天気予報などの頻繁に更新される情報を取得するためには、何度も情報取得のための操作を手動で行なわなければならず、操作に手間がかかるという問題がある。
【０００５】
さらに、取得した情報が画像データであり、かつその画像データを携帯無線端末の待ち受け画面に設定するためには、画像データを取得するたびに、手動で待ち受け画面の設定を行なわなければならず、手間がかかるという問題がある。また、取得した情報が着信メロディデータの場合には、着信メロディデータを取得するたびに、手動で着信音の設定をしなければならず、手間がかかるという問題がある。
【０００６】
本発明は、上述の課題を解決するためになされたもので、その目的は、操作性よく目的の情報を取得することができる携帯無線端末を提供することである。
【０００７】
本発明の他の目的は、通信時間および通信費を抑え、目的の情報を取得することができる携帯無線端末を提供することである。
【０００８】
【課題を解決するための手段】
本発明のある局面による携帯無線端末は、情報の格納先および格納先への接続時刻を設定するための設定手段と、設定手段に接続され、接続時刻に格納先へ無線にて接続し、格納先へ格納された情報を取得するための情報取得手段と、情報取得手段に接続され、取得した情報を記憶するための情報記憶手段と、情報記憶手段に接続され、取得した情報の種類に基づいて、取得した情報を利用した設定処理を実行するための処理実行手段とを含む。
【０００９】
【課題を解決するための手段】
本発明のある局面による携帯無線端末は、情報の格納先および格納先への接続時刻を設定するための設定手段と、設定手段に接続され、接続時刻に格納先へ無線にて接続し、格納先へ格納された情報を取得するための情報取得手段と、情報取得手段に接続され、取得した情報を記憶するための情報記憶手段と、情報記憶手段に接続され、取得した情報の種類に基づいて、種類ごとに予め定められた処理を実行するための処理実行手段とを含む。
【００１０】
自動的に希望の時刻に目的のホームページへ無線接続が行なわれる。このため、ホームページへのアクセスが多い時間帯を避けるように接続時刻を設定することにより、通信時間および通信費を抑えることができる。
【００１１】
また、取得した情報は情報記憶手段に保存されるため、オフライン状態であってもユーザはホームページの情報を見ることができる。
また、待ち受け画面や着信音などの設定が自動的に時々変化するため、これらをユーザが楽しむことができる。
【００１２】
好ましくは、携帯無線端末は、処理実行手段は、取得した情報が画像情報であれば、待ち受け時に表示される画面として、画像情報を表示手段に設定するための手段を含む。
【００１３】
取得した情報が画像情報の場合には、その画像情報を待ち受け画面に設定する処理が自動で実行される。このため、操作性が向上するという効果がある。また、時々変化する待ち受け画面をユーザが楽しむことができる。
【００１４】
さらに好ましくは、処理実行手段は、取得した情報がメロディ情報であれば、着信音としてメロディ情報を設定するための手段を含む。
【００１５】
取得した情報がメロディ情報の場合には、そのメロディ情報を着信音に設定する処理が自動で実行される。このため、操作性が向上するという効果がある。また、時々変化する着信音をユーザが楽しむことができる。
本発明の他の局面による携帯無線端末は、情報の格納先および格納先への接続時刻を設定するための設定手段と、設定手段に接続され、接続時刻に格納先へ無線にて接続し、格納先へ格納された情報を取得するための情報取得手段と、情報取得手段に接続され、取得した情報を記憶するための情報記憶手段と、情報記憶手段に接続され、取得した情報の種類に基づいて、種類ごとに予め定められた処理を実行するための処理実行手段とを含み、処理実行手段は、取得した情報が画像情報であれば、待ち受け時に表示される画面として、画像情報を表示手段に設定するための手段を含む。
これにより、自動的に希望の時刻に目的のホームページへ無線接続が行なわれる。このため、ホームページへのアクセスが多い時間帯を避けるように接続時刻を設定することにより、通信時間および通信費を抑えることができる。
また、取得した情報は情報記憶手段に保存されるため、オフライン状態であってもユーザはホームページの情報を見ることができる。
さらに、取得した情報が画像情報の場合には、その画像情報を待ち受け画面に設定する処理が自動で実行される。このため、操作性が向上するという効果がある。また、時々変化する待ち受け画面をユーザが楽しむことができる。
本発明のさらに他の局面による携帯情報端末は、情報の格納先および格納先への接続時刻を設定するための設定手段と、設定手段に接続され、接続時刻に格納先へ無線にて接続し、格納先へ格納された情報を取得するための情報取得手段と、情報取得手段に接続され、取得した情報を記憶するための情報記憶手段と、情報記憶手段に接続され、取得した情報の種類に基づいて、種類ごとに予め定められた処理を実行するための処理実行手段とを含み、処理実行手段は、取得した情報がメロディ情報であれば、着信音としてメロディ情報を設定するための手段を含む。
これにより、自動的に希望の時刻に目的のホームページへ無線接続が行なわれる。このため、ホームページへのアクセスが多い時間帯を避けるように接続時刻を設定することにより、通信時間および通信費を抑えることができる。
また、取得した情報は情報記憶手段に保存されるため、オフライン状態であってもユーザはホームページの情報を見ることができる。
さらに、取得した情報がメロディ情報の場合には、そのメロディ情報を着信音に設定する処理が自動で実行される。このため、操作性が向上するという効果がある。また、時々変化する着信音をユーザが楽しむことができる。
【００１６】
また、本発明による携帯情報端末では、好ましくは、設定手段は、情報の格納先、情報の更新情報の格納先、および２つの格納先への接続時刻を設定するための第１の手段を含み、情報取得手段は、第１の手段に接続され、接続時刻になると更新情報の格納先に接続し、情報の格納先に格納されている情報の更新情報を取得するための更新情報取得手段と、更新情報取得手段に接続され、更新情報取得手段で取得された更新情報に基づいて、情報の格納先に格納された情報の取得をするまたはしないを選択的に実行するための選択的情報取得手段とを含む。
【００１７】
過去に取得して保存している情報は取得せず、更新されている最新の情報のみを取得することができる。このため、無駄な通信費および通信時間をかけることがない。
【００１８】
【発明の実施の形態】
［実施の形態１］
図１を参照して、本発明の実施の形態１に係る携帯無線端末は、アンテナ６と、アンテナ６に接続され、アンテナ６より送受信する電波の周波数を設定したり、変調または復調を行なったりする無線部３と、無線部３に接続され、データ通信のプロトコルに従い無線部３を制御し、データ伝送機能を実現する制御回路部２と、ユーザがコマンドなどを入力するために用いるテンキーなどからなる入力部７と、ホームページの内容、各種設定時のメニューおよび設定内容などを表示するカラーＬＣＤ（Liquid Crystal Display）またはモノクロＬＣＤからなる表示部４と、着信音などを出力する出力部５と、制御回路部２、入力部７、表示部４および出力部５に接続され、携帯無線端末の各部の制御およびホームページへの自動接続処理を実行するＣＰＵ（Central Processing Unit）１とを含む。
【００１９】
ＣＰＵ１は、各種プログラムを格納したＲＯＭ（Read Only Memory）（図示せず）と、プログラムを実行する際に使用されるＲＡＭ（Random Access Memory）（図示せず）とを含む。
【００２０】
図２を参照して、ＣＰＵ１のＲＯＭに格納されるプログラムについて説明する。ＲＯＭには、アプリケーション１１、ブラウザ１２、ＨＴＴＰ（HyperText Transfer Protocol）１３、ＴＣＰ／ＩＰ（Transmission Control Protocol/Internet Protocol）１４、ＰＰＰ（Point-to-Point Protocol）１５、ネットワーク層（レイヤ３）１６、無線区間データ通信プロトコル１７、物理層（レイヤ１）１８およびＯＳ（Operating System）１９の各種プログラムモジュールが記憶されている。
【００２１】
なお、ＰＨＳのレイヤ３は、無線管理（ＲＴ）、移動管理（ＭＭ）および呼制御（ＣＣ）という役割を果たしており、回線交換コネクションを制御するためのものである。
【００２２】
アプリケーション１１は、ホームページの接続時刻およびアドレスの設定操作処理、ホームページへの自動接続処理などを実行するためのプログラムである。
【００２３】
ブラウザ１２は、取得したホームページのＨＴＭＬ（HyperText Markup Language）ファイルの解析を行ない、解析結果に従い、表示部４にホームページの内容を表示するプログラムである。ブラウザ１２としては、携帯電話やＰＨＳに搭載が容易なコンパクトＨＴＭＬ対応のブラウザ（たとえば、ＮＴＴドコモ（日本電信電話株式会社の商標）のｉモード（エヌ・ティ・ティ移動通信網株式会社の登録商標））や、インターネットエクスプローラ（マイクロソフト社の商標）などのフルスペックのブラウザ、ＷＡＰ（Wireless Application Protocol）に従い動作する携帯無線端末で用いられるＨＤＭＬ（Handheld Device Markup Language）対応のブラウザなどがある。
【００２４】
ＨＴＴＰ１３は、ＷＷＷ（World Wide Web）サーバとブラウザ１２との間でＨＴＭＬファイルなどを転送する際に用いられる標準プロトコルであり、ＨＴＭＬやコンパクトＨＴＭＬに対応している。
【００２５】
ＴＣＰ／ＩＰ１４およびＰＰＰ１５は、インターネットへ接続し、通信を行なう際に用いられる標準プロトコルである。
【００２６】
ネットワーク層１６、無線区間データ通信プロトコル１７および物理層１８のプログラムは、携帯無線端末の無線接続によるデータ通信に必要なプロトコルの企画で、携帯無線端末事業者ごとに定められている。たとえば、無線区間データ通信プロトコルとしては、ＮＴＴドコモのＰＨＳで用いられるＰＩＡＦＳ（PHS Internet Access Forum Standard）などがある。
【００２７】
ＯＳ１９は、上述したプログラムモジュールをマルチタスク管理するためのプログラムであり、たとえば、機器組込み型のＯＳであるμＩＴＲＯＮなどがある。
【００２８】
こられのプログラムは、階層構造をなしており、通信先である無線区間から受信された情報は、物理層１８により処理され、エラー時の再送要求処理などを行ないながら、情報が組立てられ、上位の階層に渡される。逆に、無線区間へ情報を送信する際には、アプリケーション１１で生成されたデータが下位の階層のプログラムに渡される。
【００２９】
本実施の形態では、ＨＴＴＰ１３、ＴＣＰ／ＩＰ１４およびＰＰＰ１５という標準的なプロトコルを用いているが、携帯無線端末事業者が独自に定めたプロトコルを用いてもよい。たとえば、ＮＴＴドコモのｉモードで使用されるＡＬ（Application Layer）およびＴＬＰ（Transport Layer Protocol）などを使用してもよい。ＡＬおよびＴＬＰはユーザ情報伝達プロトコルを表わしており、一般的なインターネットプロトコルに対応させた場合には、ＡＬがＨＴＴＰに、ＴＬＰがＴＣＰ／ＩＰにそれぞれ対応する。
【００３０】
図３および図４を参照して、接続時刻およびホームページアドレスの設定処理について説明する。
【００３１】
ユーザは、画面３１上に表示された携帯無線端末の各種メニューの中から「デイリー接続」というメニューを選択し、右移動キーまたはファンクションキーを押すと、メニュー「デイリー接続」が選択され、画面３３が表示される。画面３３でユーザは、接続時刻の設定を最大６つまで行なうことができる。各メニューには登録されている接続時刻および接続時刻の設定の有無が表示される。たとえば、１番目のメニューの「６：３０」というのは、６時３０分という時刻が登録されていることを示している。また、「Ｍ」という文字は、６時３０分という時刻が設定されていることを示している。時刻が設定されているとは、登録されている時刻になると実際に自動接続を試みることを示している。接続時刻は登録されているが、接続時刻の設定が行なわれていない場合には、画面３９のように右端に「Ｍ」という文字が表示されない。この場合には、接続時刻になってもホームページへの接続は実行されない。また、２番目および４〜６番目のメニューには、接続時刻自体が登録されていない。
【００３２】
画面３３で、下移動キーを１回押下すると、次の接続時刻設定のためのメニューが選択され、画面４１のような表示に切換えられる。同様に下移動キーまたは上移動キーを操作することにより、メニューを選択することができる。
【００３３】
画面３３の１番目のメニューに対して、接続時刻の設定、解除または消去を行なうためには、ユーザは、右移動キーまたはファンクションキーを押す。すると、画面３５のような表示に切換えられる。
【００３４】
接続時刻を解除するためには、数字キー「２」を押すか、上移動キーまたは下移動キーにより「解除」メニューを反転表示させた状態で、右移動キーまたはファンクションキーを押す。すると、接続時刻の設定が解除され、画面３７のような表示に切換えられる。画面３７では、接続時刻の設定が解除された旨のメッセージ表示が行なわれ、所定時間（たとえば２秒間）経過した後、画面３９のような表示に切換えられる。画面３９では、１番目のメニューから「Ｍ」の文字がなくなっており、登録されている接続時刻の設定解除が行なわれていることを示している。
【００３５】
接続時刻の消去を行なうためには、画面３１において、数字キー「３」を押すか、上移動キーまたは下移動キーにより「消去」メニューを反転表示させた状態で、右移動キーまたはファンクションキーを押す。すると、登録されている接続時刻が消去され、画面４４のような表示に切換えられる。画面４４では、登録された接続時刻が消去された旨のメッセージ表示が行なわれ、所定時間（たとえば２秒間）経過した後、画面４６のような表示に切換えられる。画面４６では、１番目のメニューに表示されていた接続時刻および「Ｍ」の文字がなくなっており、登録されている接続時刻が消去されたことを示している。
【００３６】
接続時刻やホームページアドレスを設定するためには、画面３１において、数字キー「１」を押すか、上移動キーまたは下移動キーにより「設定」メニューを反転表示させた状態で、右移動キーまたはファンクションキーを押す。すると、図４を参照して、画面４７のような表示に切換えられる。画面４７では、「設定完了」メニュー、「時刻入力」メニューおよび「アドレス入力」メニューの３つが表示されており、そのうち、「設定完了」メニューが選択されている。
【００３７】
数字キー「１」を押すか、上移動キーまたは下移動キーを操作して「設定完了」メニューを反転表示させた状態で、右移動キーまたはファンクションキーを押すと、現在処理対象となっている接続時刻が設定され、画面５３のようなメッセージ表示が行なわれる。その後、所定時間（たとえば２秒間）経過した後、画面５５のような表示に切換えられる。画面５５では、設定された接続時間が反転表示され、その横に「Ｍ」の文字が表示されている。
【００３８】
画面５３でクリアキーまたは左移動キーを押すと、時刻設定がキャンセルされ、画面４７に戻り、その他の設定が可能になる。
【００３９】
「時刻入力」メニューを選択するためには、画面４７〜５１のいずれかで数字キー「２」を押すか、上移動キーまたは下移動キーにより「時刻入力」メニューを反転表示させた状態で、右移動キーまたはファンクションキーを押す。すると、画面５７のような表示に切換えられる。画面５７では、すでに時刻が登録されている場合には、その時刻が表示され、それ以外の場合には「００：００」という表示がされている。ユーザは、数字キーを操作することにより登録したい時刻を２４時間制で入力する。その後、ファンクションキーを押すと、入力した時刻が登録され、画面４９に戻る。
【００４０】
画面５７でクリアキーまたは左移動キーを押すと、時刻登録がキャンセルされ、画面４９に戻り、その他の設定が可能になる。
【００４１】
「アドレス入力」メニューを選択するためには、画面４７〜５１のいずれかで数字キー「３」を押すか、上移動キーまたは下移動キーにより「アドレス入力」メニューを反転表示させた状態で、右移動キーまたはファンクションキーを押す。すると、画面６１のような表示に切換えられる。画面６１では、ホームページのアドレス入力を促すメッセージが表示され、すでにアドレスが登録されている場合には、そのアドレスが合わせて表示されている。ユーザがアドレスを入力するとアドレスが画面６３のように表示され、その後、ファンクションキーを押すことによりアドレスが登録され、画面５１に戻る。
【００４２】
画面６１でクリアキーまたは左移動キーを押すと、アドレス登録がキャンセルされ、画面５１に戻り、その他の設定が可能になる。
【００４３】
以上のような操作により、接続時刻およびホームページアドレスの設定が行なわれる。
【００４４】
図５を参照して、ホームページの自動接続処理について説明する。
ＣＰＵ１は、後述する再接続回数を０にする初期設定を行なう（Ｓ２）。ＣＰＵ１は、ＲＴＣ（リアルタイムクロック）などによりカウントされている現在の時刻が、設定された接続時刻または後述する再接続時刻になるまで待機する（Ｓ３）。
【００４５】
接続時刻または再接続時刻になった場合には（Ｓ３でＹＥＳ）、ＣＰＵ１は、無線接続のための発信が可能か否かを判断する（Ｓ４）。すなわち、携帯無線端末が圏内にあり発信可能か否かを判断する。
【００４６】
発信可能な場合には（Ｓ４でＹＥＳ）、無線接続を行ない、無線接続が正常に完了したか否かを判断する（Ｓ５）。
【００４７】
発信不能な状態にあるか、無線接続が正常に完了しなかった場合には（Ｓ４でＮＯまたはＳ５でＮＯ）、一定の時間をおいて再度無線接続し直すために、再接続回数を１つカウントアップする。また再接続する時刻（再接続時刻）の設定を行なう。たとえば、５分おきに５回再接続を試みるには設定時刻または直前の再接続時刻の５分後の時刻をあらたな再接続時刻とする（Ｓ６）。次に、再接続回数が所定の回数（たとえば５回）に到達しているか否かが調べられる（Ｓ７）。再接続回数が所定の回数に到達していれば（Ｓ７でＹＥＳ）、設定された接続時刻における無線接続に失敗したことになり、Ｓ２に戻る。
【００４８】
再接続回数が所定の回数に到達していなければ（Ｓ７でＮＯ）、Ｓ３に戻り、再接続時刻に対する無線接続処理が実行される。
【００４９】
無線接続が完了した場合には（Ｓ５でＹＥＳ）、設定されているホームページアドレスへの接続処理が実行される（Ｓ８）。ＷＷＷサーバからのレスポンスがなく、タイムアウトした場合には（Ｓ３９でＹＥＳ）、再接続するための回数（リトライ回数）を１つカウントアップする（Ｓ１１）。リトライ回数が所定の設定回数に到達したか否かが調べられ（Ｓ１２）、設定回数に達していなければ（Ｓ１２でＮＯ）、Ｓ８以降の処理を実行する。
【００５０】
リトライ回数が設定回数に到達していれば（Ｓ１２でＹＥＳ）、無線切断処理（Ｓ１４）を実行した後、Ｓ２に戻る。
【００５１】
ホームページへの接続を試み、Ｗｅｂサーバからのレスポンスがあった場合には（Ｓ９でＮＯ）、ホームページの情報の取得を続け、情報の取得が完了したか否かを判断する（Ｓ１０）。情報の取得が完了していなければ（Ｓ１０でＮＯ）、Ｓ９に戻る。
【００５２】
情報取得が完了していれば（Ｓ１０でＹＥＳ）、取得した情報を自動保存する自動保存設定処理（Ｓ１３）を実行した後、無線切断処理（Ｓ１４）を実行する。
【００５３】
図６を参照して、自動保存設定処理（図５のＳ１３）について詳しく説明する。
【００５４】
ＣＰＵ１は、ホームページより取得した情報が画像ファイルか否かを判断する（Ｓ１６）。画像ファイルか否かの判断は、取得したファイルの拡張子がｇｉｆ、ｊｐｇ、ｐｎｇなどの画像ファイルを表わす拡張子を有するか否かにより判断される（Ｓ１６）。
【００５５】
取得した情報が画像ファイルの場合には（Ｓ１６でＹＥＳ）、ＣＰＵ１は、ＣＰＵ１内のＲＡＭの待ち受け画面領域に画像データをコピーし（Ｓ１８）、その画像データに基づいて、待ち受け画面の再描画処理を実行する（Ｓ１９）。
【００５６】
取得した情報が画像ファイルではない場合には（Ｓ１６でＮＯ）、その情報が着信メロディファイルか否かを判断する（Ｓ１７）。着信メロディファイルとしては、たとえば、拡張子がｍｌｄのＮＴＴドコモのｉメロディフォーマットファイルなどがある。
【００５７】
取得した情報が着信メロディファイルの場合には（Ｓ１７でＹＥＳ）、ＣＰＵ１は、ＣＰＵ１内のＲＡＭの着信音領域に着信メロディデータをコピーし（Ｓ２２）、その着信メロディーデータを着信音に設定する（Ｓ２３）。
【００５８】
取得した情報が画像ファイルでも着信メロディファイルでもない場合には（Ｓ１６でＮＯ、Ｓ１７でＮＯ）、ＣＰＵ１は、取得した情報をＣＰＵ１内のＲＡＭの画面メモ領域にコピーし（Ｓ２０）、取得した情報を表示する画面メモの更新処理を実行する（Ｓ２１）。
【００５９】
図７を参照して、ホームページへの自動接続時の画面表示について説明する。待ち受け画面７５は、ＰＨＳ公衆モード圏内表示の例を示している。設定時刻になると無線接続にてホームページへの接続を行ない、画面７６にホームページの情報を取得中である旨の表示を行なう。このとき、Ｈピクト（ホームページ（Ｈｏｍｅｐａｇｅ）の頭文字Ｈを表わす図形）を点滅表示させ、ホームページに接続中であることをよりわかりやすく示す。
【００６０】
ホームページの情報の取得が終了した場合には、画面７７にＨピクトを点灯させ、ホームページの取得が完了した旨を示すメッセージを表示させる。その後、所定時間（たとえば２秒間）が経過した後、待ち受け画面７９に戻る。
【００６１】
以上説明したように、本実施の形態によると、自動的に希望の時刻に目的のホームページへ無線接続を行なう。このため、ホームページのアクセスが多い時間帯を避けるように接続時刻を設定することにより、通信時間および通信費を抑えることができる。
【００６２】
また、接続時に回線がビジー状態であった場合や、接続状態が悪い場合にも時間をずらして、再接続を試みることができる。
【００６３】
さらに、希望の時刻に目的のホームページを取得し、その内容を自動的に保存することにより、ユーザは、無線状態や、ホームページのアクセスが多い時間帯などを気にせずに、オフラインで保存されたホームページの情報を見ることができる。特に、その情報がニュースや天気予報などの頻繁に更新される情報であっても、新しい情報を見ることができる。
【００６４】
ホームページから取得した情報が画像ファイルやメロディファイルの場合には、画像データを待ち受け画面に設定したり、メロディデータを着信音に設定したりする処理が自動で実行される。このため、操作性が向上するという効果がある。また、待ち受け画面や着信音が自動的に時々変化するため、これらをユーザが楽しむことができる。
【００６５】
［実施の形態２］
本発明の実施の形態２による携帯無線端末は、実施の形態１と同様のハードウェア構成を有する。このため、その説明はここでは繰返さない。
【００６６】
ＣＰＵ１のＲＯＭに格納されるプログラム構成は、図２と同様であるため、その説明はここでは繰返さない。なお、本実施の形態では、アプリケーション１１の中身が一部異なる。本実施の形態では、携帯無線端末に保存する目的のデータの更新情報のホームページと、保存目的のデータのホームページとの２つのホームページにアクセスし、更新されているホームページの情報のみを取得する。
【００６７】
接続時刻およびホームページアドレスの設定処理については、図３および図４を参照して説明したものと同様であるが、上述のように本実施の形態では、１回の接続について２つのホームページへのアクセスを試みる。このため、図８に示すように、図４の画面４７〜５１の代わりに、画面７１が使用され、２つのアドレスを設定できるようになっている。２つのアドレスの設定方法は、図４の画面５１、６１および６３を参照して説明したアドレスの設定方法と同様である。このため、その説明はここでは繰返さない。第１アドレスは、保存目的のデータの更新情報が格納されたホームページのアドレスを示し、第２アドレスは、保存目的のデータが格納されたホームページのアドレスを示すものとする。
【００６８】
図９および図１０を参照して、実施の形態２によるホームページの自動接続処理について説明する。
【００６９】
Ｓ２〜Ｓ７の処理は図５と同様である。このため、その説明はここでは繰返さない。
【００７０】
無線接続が完了した場合には（Ｓ５でＹＥＳ）、設定されている第１アドレスへの接続処理が実行される（Ｓ２５）。その後、Ｓ９Ａ〜Ｓ１２Ａの処理が実行される。Ｓ９Ａ〜Ｓ１２Ａの処理は、図５のＳ９〜Ｓ１２の処理と同様である。このため、その詳細な説明はここでは繰返さない。
【００７１】
設定されている第１アドレスで指定されるホームページの情報が取得された場合には（Ｓ１０ＡでＹＥＳ）、第２アドレスのホームページに格納されている情報の方が、過去に第２アドレスのホームページより取得し携帯無線端末に記憶されている情報よりも新しいか否かを、第１アドレスのホームページの情報から調べる（Ｓ２８）。第２アドレスのホームページに格納されている情報と携帯無線端末に記憶されている情報とが同じものであれば（Ｓ２０でＮＯ）、情報の取得処理は行なわずに、無線切断処理（Ｓ１４）を実行し、Ｓ２に戻る。
【００７２】
第２アドレスのホームページに格納されている情報の方が新しい場合には、そのホームページの情報を取得するために、第２アドレスへの接続を行ない、リトライ回数をクリアする（Ｓ２９）。その後、Ｓ９Ｂ〜Ｓ１２Ｂの処理により第２アドレスのホームページの情報の取得を行なう。取得した情報に基づいて、自動保存設定処理（Ｓ１３）を行なった後、無線切断を行ない（Ｓ１４）、Ｓ２に戻る。
【００７３】
以上説明したように本実施の形態によると、自動接続の際に、過去に取得して保存している情報は取得せず、更新されている最新の情報のみを取得することができる。このため、無駄な通信費および通信時間をかけることがない。特にＭＰ３（MPEG1-Audio Layer 3）やＡＴＲＡＣ３（Adaptive TRansform Acoustic Coding 3；ソニー株式会社の商標）などの大きなサイズの音楽配信データなどを取得する際に有効である。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７５】
【発明の効果】
回線接続時間および通信費を低減させ、操作性よく目的の情報を取得することができる。
【図面の簡単な説明】
【図１】  本発明による携帯無線端末のハードウェア構成を示すブロック図である。
【図２】  ＲＯＭに格納されているプログラムの構成を示す図である。
【図３】  接続時刻およびホームページアドレスの設定処理を説明するための図である。
【図４】  接続時刻およびホームページアドレスの設定処理を説明するための図である。
【図５】  ホームページの自動接続処理のフローチャートである。
【図６】  自動保存処理のフローチャートである。
【図７】  ホームページへの自動接続時の画面表示の一例を示す図である。
【図８】  実施の形態２による接続時刻およびホームページアドレスの設定処理を説明するための図である。
【図９】  実施の形態２によるホームページの自動接続処理のフローチャートである。
【図１０】  実施の形態２によるホームページの自動接続処理のフローチャートである。
【符号の説明】
１  ＣＰＵ、２  制御回路部、３  無線部、４  表示部、５  出力部、６  アンテナ、７  入力部。
【図１】
0003701179.tif 000002
【図２】
0003701179.tif 000003
【図３】
0003701179.tif 000004
【図４】
0003701179.tif 000005
【図５】
0003701179.tif 000006
【図６】
0003701179.tif 000007
【図７】
0003701179.tif 000008
【図８】
0003701179.tif 000009
【図９】
0003701179.tif 000010
【図１０】
0003701179.tif 000011